(57)【特許請求の範囲】
【請求項１】
クエン酸および炭素数２〜１０の脂肪族アルコールからなるクエン酸トリエステルである冷媒Ｒ３２用の冷凍機油であって、
前記脂肪族アルコールが、以下の成分（Ａ）および成分（Ｂ）：
（Ａ）炭素数２〜５の脂肪族アルコール、
（Ｂ）炭素数６〜１０の脂肪族アルコール
からなり、前記クエン酸トリエステルを構成する成分（Ａ）／成分（Ｂ）のモル比が、６０／４０〜９５／５である冷凍機油。
【請求項２】
質量比が７５／２５である１，１，１，３，３−ペンタフルオロブタン／酢酸エチルの混合溶媒中に１０質量％の濃度で溶解させたときの曇り点が−３０℃以上である添加剤、および請求項１に記載の冷媒Ｒ３２用の冷凍機油を含有し、前記添加剤の含有量が、０．０１〜５質量％である冷媒Ｒ３２用の冷凍機油組成物。
【請求項３】
前記添加剤が、トリフェニルホスフェートおよび／またはグリセリンモノオレートである請求項２に記載の冷媒Ｒ３２用の冷凍機油組成物。
【請求項４】
請求項１に記載の冷媒Ｒ３２用の冷凍機油および冷媒Ｒ３２を含有する冷凍機用作動流体組成物。
【請求項５】
請求項２または３に記載の冷媒Ｒ３２用の冷凍機油組成物および冷媒Ｒ３２を含有する冷凍機用作動流体組成物。
【発明の詳細な説明】
【技術分野】
【０００１】
本発明は、優れた添加剤溶解性を有する冷媒Ｒ３２用の冷凍機油およびこれを含有する組成物に関する。
【背景技術】
【０００２】
従来、ルームエアコン、パッケージエアコンなどの空調機器、家庭用冷凍冷蔵庫、産業用冷凍機、およびハイブリッドカー、電気自動車などのカーエアコンには塩素を含むフロン冷媒が用いられていた。近年では、オゾン層の破壊などの原因となるこれら塩素系冷媒に代わり、冷媒Ｒ１３４ａ（１，１，１，２−テトラフルオロエタン）、冷媒Ｒ１２５（ペンタフルオロエタン）、冷媒Ｒ４１０Ａ（冷媒Ｒ３２（ジフルオロメタン）および冷媒Ｒ１２５（ペンタフルオロエタン）の混合冷媒）などのハイドロフルオロカーボン（ＨＦＣ）冷媒が使用されている。しかしこれらＨＦＣ冷媒はオゾン層破壊係数がゼロであるものの、地球温暖化係数（ＧＷＰ）が１０００以上と高い。そのため、温室効果の低減を目的とした規制の対象となっており、使用が制限されてくることからＧＷＰの低い冷媒の使用が検討されている。例えばＧＷＰが４である冷媒ＨＦＯ−１２３４ｙｆ（２，３，３，３−テトラフルオロプロペン）や、ＧＷＰが６７５である冷媒Ｒ３２（ジフルオロメタン）の単独使用などへの転換が進められている。
【０００３】
ＧＷＰが低い冷媒Ｒ３２を用いると、コンプレッサーでの吐出温度が高くなり、コンプレッサー内の潤滑条件がより厳しくなる。そのため、潤滑性を改善するため、これまで種々の添加剤が検討されている。例えば、特許文献１には、所定基油と、リン系極圧剤と、油性剤と、を含有することを特徴とする冷凍機油組成物が開示されている。
【先行技術文献】
【特許文献】
【０００４】
【特許文献１】特開２０１０−２０９３６０号公報
【発明の概要】
【発明が解決しようとする課題】
【０００５】
冷媒Ｒ３２は、従来の冷媒と比較して、添加剤溶解性に劣ることから、冷媒Ｒ３２と接触する冷凍機油では、結晶性の高い添加剤が析出し易くなり、潤滑性向上効果に優れた従来の添加剤を使用することが困難となる場合がある。本発明はこのような事情に鑑みなされたものであって、その目的は、添加剤溶解性に優れた冷媒Ｒ３２用の冷凍機油を提供することにある。
【課題を解決するための手段】
【０００６】
本発明者らは、上記目的を達成するために鋭意検討を行なった結果、特定のクエン酸トリエステルが優れた添加剤溶解性を有することを見出し、本発明を完成するに至った。この知見に基づく本発明は、以下の通りである。
【０００７】
［１］  クエン酸および炭素数２〜１０の脂肪族アルコールからなるクエン酸トリエステルである冷媒Ｒ３２用の冷凍機油。
［２］  前記脂肪族アルコールが、以下の成分（Ａ）および成分（Ｂ）：
（Ａ）炭素数２〜５の脂肪族アルコール、
（Ｂ）炭素数６〜１０の脂肪族アルコール
からなり、前記クエン酸トリエステルを構成する成分（Ａ）／成分（Ｂ）のモル比が、６０／４０〜９５／５である前記［１］に記載の冷媒Ｒ３２用の冷凍機油。
［３］  質量比が７５／２５である１，１，１，３，３−ペンタフルオロブタン／酢酸エチルの混合溶媒中に１０質量％の濃度で溶解させたときの曇り点が−３０℃以上である添加剤、および前記［１］または［２］に記載の冷媒Ｒ−３２用の冷凍機油を含有し、前記添加剤の含有量が、０．０１〜５質量％である冷媒Ｒ３２用の冷凍機油組成物。
［４］  前記添加剤が、トリフェニルホスフェートおよび／またはグリセリンモノオレートである前記［３］に記載の冷媒Ｒ３２用の冷凍機油組成物。
［５］  前記［１］または［２］に記載の冷媒Ｒ３２用の冷凍機油および冷媒Ｒ３２を含有する冷凍機用作動流体組成物。
［６］  前記［３］または［４］に記載の冷媒Ｒ３２用の冷凍機油組成物および冷媒Ｒ３２を含有する冷凍機用作動流体組成物。
【発明の効果】
【０００８】
本発明の冷媒Ｒ３２用の冷凍機油は、優れた添加剤溶解性を有するため、潤滑性が特に要求される冷凍空調機器や冷蔵庫等のコンプレッサーに好適に用いることができる。また、本発明の冷媒Ｒ３２用の冷凍機油は、冷媒Ｒ３２（ジフルオロメタン）との相溶性が高いため、冷媒Ｒ３２を含有する冷凍機用作動流体組成物に好適に用いることができる。
【発明を実施するための形態】
【０００９】
以下、本発明の冷媒Ｒ３２用の冷凍機油について説明する。なお、本明細書において記号「〜」を用いて規定された数値範囲は「〜」の両端（上限および下限）の数値を含むものとする。例えば「２〜１０」は２以上１０以下を表す。
【００１０】
本発明の冷媒Ｒ３２用の冷凍機油は、クエン酸および炭素数２〜１０の脂肪族アルコールからなるクエン酸トリエステルである。このクエン酸トリエステルは、１種のみを使用してもよく、２種以上を併用してもよい。
【００１１】
「冷凍機油」とは、一般に、冷凍空調機器におけるコンプレッサーのための潤滑油を意味し、冷凍空調機器としては、例えば、エアコン等が挙げられる。また、本明細書において、「冷媒Ｒ３２用の冷凍機油」とは、冷媒Ｒ３２（ジフルオロメタン）を使用するエアコンにおけるコンプレッサー等のための潤滑油を意味する。
【００１２】
クエン酸トリエステルを製造するためのクエン酸としては、工業的に入手可能なクエン酸を使用することができる。また、クエン酸トリエステルの製造に、クエン酸無水物を使用してもよい。
【００１３】
本発明で使用される脂肪族アルコールの炭素数は、２〜１０、好ましくは３〜１０、より好ましくは３〜９である。この脂肪族アルコールは、単独で使用してもよく、２種類以上を組み合わせて使用してもよい。炭素数２〜１０の脂肪族アルコールの具体例としては、後述する炭素数２〜５の脂肪族アルコール（成分（Ａ））および炭素数６〜１０の脂肪族アルコール（成分（Ｂ））の具体例と同じものが挙げられる。
【００１４】
炭素数２〜１０の脂肪族アルコールは、好ましくは、炭素数２〜５の脂肪族アルコール（成分（Ａ））および炭素数６〜１０の脂肪族アルコール（成分（Ｂ））からなる。成分（Ａ）および成分（Ｂ）は、いずれも、１種類のみであってもよく、２種類以上であってもよい。
【００１５】
成分（Ａ）としては、例えば、エタノール、１−プロパノール、２−プロパノール、１−ブタノール、２−ブタノール、２−メチル−１−プロパノール、２−メチル−２−プロパノール、１−ペンタノール、２−ペンタノール、３−ペンタノール、３−メチル−１−ブタノールなどが挙げられる。成分（Ａ）は、好ましくは炭素数３〜５の脂肪族アルコールである。成分（Ａ）は、より好ましくは炭素数３〜５の直鎖状の飽和脂肪族アルコールである。成分（Ａ）として１−ブタノールを使用することによって、冷媒Ｒ３２との溶解性、潤滑性、低温安定性において優れたクエン酸トリエステルを得ることができるので、成分（Ａ）は、さらに好ましくは１−ブタノールである。
【００１６】
成分（Ｂ）としては、例えば、１−ヘキサノール、２−ヘキサノール、３−ヘキサノール、２−メチル−１−ペンタノール、２−エチル−ブタノール、１−ヘプタノール、２−ヘプタノール、３−ヘプタノール、２−メチル−１−ヘキサノール、２−エチル−１−ペンタノール、１−オクタノール、２−オクタノール、３−オクタノール、２−メチル−１−ヘプタノール、２−エチル−１−ヘキサノール、１−ノナノール、２−ノナノール、３−ノナノール、２−メチル−１−オクタノール、２−エチル−１−ヘプタノール、１−デカノール、２−デカノール、３−デカノール、２−メチル−１−ノナノール、２−エチル−１−オクタノールなどが挙げられる。冷凍機油（クエン酸トリエステル）中のアルコールに由来するアルキル基が分枝鎖状である場合、その冷凍機油は低温安定性やＲ３２との相溶性に優れる傾向にあるので、成分（Ｂ）は、好ましくは炭素数６〜１０の分枝鎖状の飽和脂肪族アルコールであり、より好ましくは炭素数７〜９の分枝鎖状の飽和脂肪族アルコールである。成分（Ｂ）として２−エチル−１−ヘキサノールを使用することによって、添加剤再溶解性、潤滑性、低温安定性において優れたエステルを得ることができるので、成分（Ｂ）は、さらに好ましくは２−エチル−１−ヘキサノールである。
【００１７】
クエン酸トリエステルを構成する成分（Ａ）／成分（Ｂ）のモル比が６０／４０〜９５／５であることが好ましい。この範囲にモル比を調整することによって、析出した添加剤を再溶解させる性能（添加剤再溶解性）に優れたクエン酸トリエステルを得ることができる。添加剤再溶解性の観点から、成分（Ａ）／成分（Ｂ）のモル比は、より好ましくは６５／３５〜９０／１０であり、さらに好ましくは６５／３５〜８５／１５である。
【００１８】
成分（Ａ）／成分（Ｂ）のモル比を調整する方法に特に限定は無い。例えば、クエン酸またはクエン酸無水物と成分（Ａ）および成分（Ｂ）の混合物とを反応させてもよいし、クエン酸またはクエン酸無水物と成分（Ａ）および成分（Ｂ）のそれぞれとを反応させた後、それらの生成物を混合してもよい。
【００１９】
クエン酸トリエステルを構成する成分（Ａ）／成分（Ｂ）のモル比はガスクロマトグラフィーによって分析することができる。例えば、クエン酸トリエステル（０．１ｇ）を、質量比が８０／２０であるトルエン／メタノールの混合溶媒（５ｇ）で希釈し、次いで２８質量％ナトリウムメトキシドメタノール溶液（和光純薬工業（株）製）（０．３ｇ）を加え、常温にて３０分静置することにより、クエン酸トリエステルを加メタノール分解する。得られたエステル分解溶液をガスクロマトグラフィーで分析し、得られた成分（Ａ）および成分（Ｂ）のピーク面積比から、クエン酸トリエステルを構成する成分（Ａ）／成分（Ｂ）のモル比を算出することができる。なお、各アルコール単独のガスクロマトグラフィーを分析することで、クエン酸トリエステルを構成していたアルコールの種類を同定することができる。
【００２０】
クエン酸トリエステルは、例えば、クエン酸またはクエン酸無水物および脂肪族アルコールを反応器へ仕込み、常圧での窒素雰囲気下または減圧下にて、例えば１５０〜２５０℃で、反応水を留去しつつエステル化反応を行なうことによって、製造することができる。得られるクエン酸トリエステルの酸価は、好ましくは１０ｍｇＫＯＨ／ｇ以下、より好ましくは５ｍｇＫＯＨ／ｇ以下、さらに好ましくは２ｍｇＫＯＨ／ｇ以下である。エステル化反応は無触媒で行なってもよく、ブレンステッド酸触媒やルイス酸触媒を使用してもよい。
【００２１】
エステル化反応は、クエン酸またはクエン酸無水物に対して過剰の脂肪族アルコールを用いて行うことが好ましい。この場合、エステル化反応後、過剰なアルコールを減圧下で留去する。得られたクエン酸トリエステルは、例えば吸着剤を用いて精製処理することが好ましい。
【００２２】
本発明の冷媒Ｒ３２用の冷凍機油であるクエン酸トリエステルの４０℃における動粘度は、好ましくは５〜３００ｍｍ２／ｓであり、より好ましくは１０〜２００ｍｍ２／ｓであり、さらに好ましくは１０〜１５０ｍｍ２／ｓである。また、その酸価は、好ましくは１０ｍｇＫＯＨ／ｇ以下であり、より好ましくは５ｍｇＫＯＨ／ｇ以下であり、さらに好ましくは２ｍｇＫＯＨ／ｇ以下であり、特に好ましくは１ｍｇＫＯＨ／ｇ以下である。前記動粘度は、ＪＩＳ  Ｋ２２８３に準拠して測定することができる。前記酸価は、ＪＩＳ  Ｃ２１０１に準拠して測定することができる。
【００２３】
本発明は、質量比が７５／２５である１，１，１，３，３−ペンタフルオロブタン／酢酸エチルの混合溶媒中に１０質量％の濃度で溶解させたときの曇り点が−３０℃以上である添加剤、および上述の冷媒Ｒ３２用の冷凍機油（即ち、上述のクエン酸トリエステル）を含有する冷媒Ｒ３２用の冷凍機油組成物も提供する。前記添加剤の含有量は、冷媒Ｒ３２用の冷凍機油組成物中、０．０１〜５質量％、好ましくは０．１〜４質量％である。この冷媒Ｒ３２用の冷凍機油組成物は、添加剤の析出が無く、添加量に見合った各種添加剤の効果が得られるという優れた効果を達成することができる。
【００２４】
前記添加剤としては、上述の条件で測定した曇り点が−３０℃以上である限り、任意のものを使用できる。また、前記添加剤としては、１種のみを使用してもよく、２種以上を併用してもよい。本発明の冷媒Ｒ３２用の冷凍機油は、添加剤溶解性に優れており、本発明の冷媒Ｒ−３２用の冷凍機油組成物は、曇り点が高く、溶解し難い添加剤を用いることができる。上記条件で測定した前記添加剤の曇り点は、好ましくは−２０℃以上、より好ましくは−１５℃以上である。なお曇り点は、ＪＩＳ  ２２６９「原油および石油製品の流動点並びに石油製品曇り点試験方法」に従い、測定することができる。
【００２５】
前記添加剤としては、例えば耐荷重添加剤、酸化防止剤、金属不活性化剤、酸捕捉剤が挙げられる。冷媒Ｒ３２冷媒を用いたコンプレッサーは、従来のＨＦＣ冷媒使用時より潤滑条件が厳しくなることから、前記添加剤としては、耐荷重添加剤が好ましい。ここで耐荷重添加剤とは、金属摩擦面を油膜で隔てることができずに金属摩擦面が互いに接触する際に機能する添加剤を意味し、例えば、油性向上剤、摩耗防止剤、極圧剤が挙げられる。
【００２６】
耐荷重添加剤としては、例えば、脂肪酸エステル系添加剤、エーテル系添加剤、リン酸エステル系添加剤、およびチオリン酸エステル系添加剤が挙げられる。これらの中で、脂肪酸エステル系添加剤、リン酸エステル系添加剤、およびチオリン酸エステル系添加剤が、潤滑性向上効果の面で好ましく、脂肪酸エステル系添加剤、およびリン酸エステル系添加剤がより好ましい。リン酸エステル系添加剤としては、例えばトリフェニルホスフェートが挙げられる。脂肪酸エステル系添加剤としては、グリセリンモノオレートが挙げられる。前記添加剤は、好ましくはトリフェニルホスフェートおよび／またはグリセリンモノオレートである。
【００２７】
上述したように、「冷媒Ｒ３２用の冷凍機油」とは、冷媒Ｒ３２（ジフルオロメタン）を使用するエアコンにおけるコンプレッサー等のための潤滑油を意味し、本発明の冷媒Ｒ３２用の冷凍機油およびその組成物も、冷媒Ｒ３２を使用するエアコンにおけるコンプレッサー等で用いられる。但し、冷媒Ｒ３２を含む冷媒、例えば、冷媒Ｒ４１０Ｒ（質量比が５０／５０である冷媒Ｒ１２５（ペンタフルオロエタン）／冷媒Ｒ３２（ジフルオロメタン）の混合物）またはＲ４１０Ｂ（質量比が５５／４５である冷媒Ｒ１２５（ペンタフルオロエタン）／冷媒Ｒ３２（ジフルオロメタン）の混合物）を使用するコンプレッサーで用いられる冷凍機油および冷凍機油組成物も、本発明の冷媒Ｒ３２用の冷凍機油および冷媒Ｒ３２用の冷凍機油組成物に包含される。本発明の冷媒Ｒ３２用の冷凍機油は、従来の冷媒Ｒ３２用の冷凍機油では得られなかった優れた添加剤溶解性を有するとため、本発明の冷媒Ｒ３２用の冷凍機油およびその組成物は、冷媒として添加剤溶解性に乏しい冷媒Ｒ３２のみを使用するコンプレッサーで用いられる場合に、最もその有用性が発揮される。
【００２８】
本発明は、上述した冷媒Ｒ３２用の冷凍機油または冷媒Ｒ３２用の冷凍機油組成物、および冷媒Ｒ３２を含有する冷凍機用作動流体組成物も提供する。これら冷凍機用作動流体組成物中の冷媒Ｒ−３２用の冷凍機油の含有量は、冷媒Ｒ３２（ジフルオロメタン）１００質量部に対して、好ましくは１〜５００質量部であり、より好ましくは２〜４００質量部である。
【実施例】
【００２９】
以下、製造例等により、本発明を更に詳細に説明するが、本発明は、下記製造例等に制限されるものではない。
【００３０】
製造例１
クエン酸無水物（２８２ｇ、１．４７ｍｏｌ）、１−ブタノール（２９４ｇ、３．９７ｍｏｌ）、および２−エチル−１−ヘキサノール（１１４ｇ、０．８７ｍｏｌ）を四つ口フラスコに仕込み、窒素雰囲気下、２００℃で反応水を留去しつつ常圧で５時間反応を行なった。その後、２００℃で酸価が２ｍｇＫＯＨ／ｇ以下となるまで反応を継続した。次いで、１〜５ｋＰａの減圧下にて２００℃で過剰なアルコールを留去し、粗エステルを得た。粗エステルを冷却し、これに酸性白土およびシリカ−アルミナ系の吸着剤を、それぞれ理論上得られるエステル量の１．０質量％となるように添加して、吸着処理した（吸着処理温度：１００℃、圧力：１〜５ｋＰａ、および吸着処理時間：２時間）。最後に１ミクロンのフィルターを用いて濾過を行い、目的のクエン酸トリエステル（酸価０．１ｍｇＫＯＨ／ｇ以下）（以下「エステル１」と記載する。）を得た。
【００３１】
製造例２
クエン酸無水物（２９５ｇ、１．５３ｍｏｌ）、１−ブタノール（３２６ｇ、４．４０ｍｏｌ）、および１−オクタノール（８６ｇ、０．６６ｍｏｌ）を四つ口フラスコに仕込み、窒素雰囲気下、２００℃で反応水を留去しつつ常圧で５時間反応を行なった。以降の工程は製造例１と同様にして行い、目的のクエン酸トリエステル（以下「エステル２」と記載する。）を得た。
【００３２】
製造例３
クエン酸無水物（３０７ｇ、１．６０ｍｏｌ）、２−プロパノール（２０６ｇ、３．４３ｍｏｌ）、および１−ヘキサノール（１８９ｇ、１．８５ｍｏｌ）を四つ口フラスコに仕込み、窒素雰囲気下、２００℃で反応水を留去しつつ常圧で６時間反応を行なった。以降の工程は製造例１と同様にして行い、目的のクエン酸トリエステル（以下「エステル３」と記載する。）を得た。
【００３３】
製造例４
クエン酸無水物（２６９ｇ、１．４０ｍｏｌ）、２−ブタノール（２４７ｇ、３．３３ｍｏｌ）、および３，５，５−トリメチルヘキサノール（１８７ｇ、１．２９ｍｏｌ）を四つ口フラスコに仕込み、窒素雰囲気下、２００℃で反応水を留去しつつ常圧で６時間反応を行なった。以降の工程は製造例１と同様にして行い、目的のクエン酸トリエステル（以下「エステル４」と記載する。）を得た。
【００３４】
製造例５
クエン酸無水物（３４６ｇ、１．８０ｍｏｌ）、エタノール（１３７ｇ、２．９７ｍｏｌ）、および１−ブタノール（２２０ｇ、２．９７ｍｏｌ）を四つ口フラスコに仕込み、窒素雰囲気下、１８０℃で反応水を留去しつつ常圧で７時間反応を行なった。以降の工程は製造例１と同様にして行い、目的のクエン酸トリエステル（以下「エステル５」と記載する。）を得た。
【００３５】
製造例６
クエン酸無水物（３０７ｇ、１．６０ｍｏｌ）および１−ブタノール（３９１ｇ、５．２８ｍｏｌ）を四つ口フラスコに仕込み、窒素雰囲気下、２００℃で反応水を留去しつつ常圧で５時間反応を行なった。以降の工程は製造例１と同様にして行い、目的のクエン酸トリエステル（以下「エステル６」と記載する。）を得た。
【００３６】
製造例７
クエン酸無水物（２１８ｇ、１．１３ｍｏｌ）および２−エチル−１−ヘキサノール（４８７ｇ、３．７４ｍｏｌ）を四つ口フラスコに仕込み、窒素雰囲気下、２２０℃で反応水を留去しつつ常圧で５時間反応を行なった。以降の工程は製造例１と同様にして行い、目的のクエン酸トリエステル（以下「エステル７」と記載する。）を得た。
【００３７】
製造例８
ペンタエリスリトール１２９ｇ（０．９５ｍｏｌ）および２−エチル−１−ヘキサン酸（５７５ｇ、３．９９ｍｏｌ）を四つ口フラスコに仕込み、窒素雰囲気下、２００℃で反応水を留去しつつ常圧で５時間反応を行なった。次いで、１〜５ｋＰａの減圧下にて、２００℃で過剰な酸を留去し、粗エステルを得た。粗エステルを冷却し、これに酸性白土およびシリカ−アルミナ系の吸着剤を、それぞれ理論上得られるエステル量の１．０質量％となるように添加して吸着処理した（吸着処理温度：１００℃、圧力：１〜５ｋＰａ、および吸着処理時間：２時間）。最後に１ミクロンのフィルターを用いて濾過を行い、ペンタエリスリトールおよび２−エチル−１−ヘキサン酸からなるエステル（以下「エステル８」と記載する。）を得た。
【００３８】
上述の製造例１〜８で使用したカルボン酸およびアルコールを下記表１および２に示す。また、エステル１〜８の特性を以下のようにして測定した。それらの結果を下記表１〜４に示す。
【００３９】
エステルを構成するアルコール成分のモル比：
エステル１〜８のいずれか（０．１ｇ）を、質量比が８０／２０であるトルエン／メタノールの混合溶媒（５ｇ）で希釈し、次いで２８質量％ナトリウムメトキシドメタノール溶液（和光純薬工業（株）製）（０．３ｇ）を加え、常温にて３０分静置することにより、エステルを加メタノール分解した。得られたエステル分解溶液を、ガスクロマトグラフィーで分析し、得られたアルコールのピーク面積比から、エステルを構成するアルコールのモル比を算出した。
【００４０】
酸価：
ＪＩＳ  Ｃ２１０１に準拠して、エステル１〜８の酸価を測定した。
【００４１】
流動点：
ＪＩＳ  Ｋ２２６９に準拠して、エステル１〜８の流動点を測定した。
【００４２】
二層分離温度：
エステル１〜８のいずれか（２ｇ）、冷媒Ｒ３２（６ｇ）を耐圧ガラス管に封入し、ドライアイスを入れたエタノール浴を用いて、１℃／分の速度で４０℃から冷却した。エステルと冷媒Ｒ３２とが二層分離する温度を−６０℃〜＋４０℃の範囲で目視により測定した（実施例１−１〜実施例１−７および比較例１−１）。また、二層分離温度が＋４０℃以上であるものを×と、＋４０℃〜−１０℃であるものを○と、−１０℃以下であるものを◎と評価した。
【００４３】
溶解性試験１：
エステル１〜８のいずれか（２ｇ）、トリフェニルホスフェート（０．０４ｇ）、および冷媒Ｒ３２（６ｇ）を耐圧ガラス管に封入し、常温にて、これらを溶解させた（実施例２ａ−１〜実施例２ａ−７および比較例２ａ−１）。その後、溶解した混合物を、−５℃／時間の速度で２０℃から−３０℃まで冷却し、析出物の有無を目視で確認した。析出物が確認された温度を２．５℃刻みで記録した。−３０℃で析出のないものは、「析出なし」と評価した。なお、エステル８は、常温でもトリフェニルホスフェートおよび冷媒Ｒ３２と溶解せず、比較例２ａ−１の混合物は白濁した状態であった（下記表３で「常温白濁」と記載）。
【００４４】
溶解性試験２：
エステル１〜８のいずれか（２ｇ）、グリセリンモノオレート（０．０２ｇ）、および冷媒Ｒ３２（６ｇ）を耐圧ガラス管に封入し、常温にて、これらを溶解させた（実施例２ｂ−１〜実施例２ｂ−７および比較例２ｂ−１）。その後、溶解した混合物を、−５℃／時間の速度で２０℃から−３０℃まで冷却し、析出物の有無を目視で確認した。析出物が確認された温度を２．５℃刻みで記録した。なお、エステル８は、常温でもグリセリンモノオレートおよび冷媒Ｒ３２と溶解せず、比較例２ｂ−１の混合物は白濁した状態であった（下記表４で「常温白濁」と記載）。
【００４５】
再溶解性試験：
エステル１〜８のいずれか（２ｇ）、グリセリンモノオレート（０．０２ｇ）、および冷媒Ｒ３２（６ｇ）を耐圧ガラス管に封入し、常温にて、これらを溶解させた（実施例２ｂ−１〜実施例２ｂ−７および比較例２ｂ−１）。その後、溶解した混合物を、−３０℃に設定した恒温槽にて２４時間静置することによって、混合物中のグリセリンモノオレートを析出させた。次いで、この混合物を、速やかに３０℃の恒温槽へ移し、混合物中の析出物が溶解し、透明になるまでに要する時間を測定した。なお、エステル８は、常温でもグリセリンモノオレートおよび冷媒Ｒ３２と溶解せず、比較例２ｂ−１の混合物は白濁した状態であった（下記表４で「常温白濁」と記載）。
【００４６】
溶解性試験１および２並びに再溶解性試験で使用した添加剤（トリフェニルホスフェートおよびグリセリンモノオレート）を、質量比が７５／２５である１，１，１，３，３−ペンタフルオロブタン／酢酸エチルの混合溶媒中に１０質量％の濃度で溶解させたときの曇り点を、ＪＩＳ  ２２６９に従って測定した。この条件で測定したトリフェニルホスフェートの曇り点は−３℃であり、グリセリンモノオレートの曇り点は２５℃であった。
【００４７】
【表１】
0006642029.tif 000002
【００４８】
【表２】
0006642029.tif 000003
【００４９】
【表３】
0006642029.tif 000004
【００５０】
【表４】
0006642029.tif 000005
【００５１】
上記表で示されるように、クエン酸および炭素数３〜１０の脂肪族アルコールからなるクエン酸トリエステルであるエステル１〜７は、添加剤溶解性に優れている。
【産業上の利用可能性】
【００５２】
本発明の冷媒Ｒ３２用の冷凍機油、冷媒Ｒ３２用の冷凍機油組成物および冷凍機用作動流体組成物は、冷媒Ｒ３２を使用するエアコンにおけるコンプレッサー等で好適に使用することができる。